(57)【要約】【課題】移動体端末装置においてＷｅｂメールを作成する途中で処理を中断した場合においても、メール作成に要する時間を短縮すると共に、メール作成に要するコストを低減すること。【解決手段】移動通信網を利用した移動体端末向けメールサービス及びＷｅｂメールサービスを利用可能な携帯電話機１０と、携帯電話機１０に割り当てられた双方のメールサービス用のメールアドレスを管理するサーバ装置２０とを具備する移動通信ネットワークシステムにおいて、携帯電話機１０でＷｅｂメールの作成途中で処理が中断された場合に入力済みの情報を端末内に保存する一方、当該保存した情報を移動体端末向けメールサービスにおけるメールとして送信し、サーバ装置２０で当該メールを受信すると、送信元のメールアドレスをＷｅｂメールサービス用のメールアドレスに置換して転送することを特徴とする。【選択図】図１
2008171339.tif 000002
【特許請求の範囲】
【請求項１】
移動通信網を利用した移動体端末向けメールサービスを提供するメールサーバと通信を行う移動体端末向けメール処理部と、Ｗｅｂメールサービスを提供するＷｅｂサーバと通信を行うＷｅｂメール処理部と、前記移動体端末向けメールサービスにおけるメール作成が中断された場合に入力済みの情報を保存する記憶部と、を具備し、
前記Ｗｅｂメールサービスにおけるメール作成が中断された場合に入力済みの情報を前記記憶部に保存する一方、前記記憶部に保存した情報の送信指示を受け付けると、前記移動体端末向けメール処理部から前記移動体端末向けメールサービスにおけるメールとして送信することを特徴とする移動体端末装置。
【請求項２】
前記Ｗｅｂメールサービスにおけるメール作成が中断された場合に入力済みの情報を前記記憶部に保存する際、前記Ｗｅｂメールサービスにおけるメールの作成途中で保存された情報であることを示す識別情報を付加することを特徴とする請求項１記載の移動体端末装置。
【請求項３】
移動通信網を利用した移動体端末向けメールサービスを提供するメールサーバ部と、Ｗｅｂメールサービスを提供するＷｅｂメールサーバ部と、移動体端末装置に割り当てられた、前記移動体端末向けメールサービス用及び前記Ｗｅｂメールサービス用のメールアドレスを管理するユーザデータ管理部と、を具備し、
前記移動体端末装置から前記移動体端末向けメールサービスにおけるメールを受信すると、当該メールが、前記Ｗｅｂメールサービスのメール作成途中で保存されたメールであるか否かに応じて送信元のメールアドレスを設定して転送することを特徴とするサーバ装置。
【請求項４】
前記移動体端末装置から受信した前記移動体端末向けメールサービスにおけるメールが、前記Ｗｅｂメールサービスにおけるメール作成途中で保存されたメールである場合に送信元のメールアドレスを前記Ｗｅｂメールサービス用のメールアドレスに置換することを特徴とする請求項３記載のサーバ装置。
【請求項５】
前記移動体端末装置から受信した前記移動体端末向けメールサービスにおけるメールに付加される識別情報に応じて、当該メールが前記Ｗｅｂメールサービスにおけるメール作成途中で保存されたメールであるか判定することを特徴とする請求項３又は請求項４記載のサーバ装置。
【請求項６】
移動通信網を利用した移動体端末向けメールサービス及びＷｅｂメールサービスを利用可能な移動体端末装置と、前記移動体端末装置に割り当てられた前記移動体端末向けメールサービス及びＷｅｂメールサービス用のメールアドレスを管理するサーバ装置とを具備する移動通信ネットワークシステムであって、
前記移動体端末装置で前記Ｗｅｂメールサービスにおけるメール作成が中断された場合に入力済みの情報を当該移動体端末装置内に保存する一方、当該保存した情報を前記移動体端末向けメールサービスにおけるメールとして送信し、前記サーバ装置で当該メールを受信すると、送信元のメールアドレスを前記Ｗｅｂメールサービス用のメールアドレスに置換して転送することを特徴とする移動通信ネットワークシステム。
【発明の詳細な説明】
【技術分野】
【０００１】
本発明は、移動体端末装置、サーバ装置及び移動通信ネットワークシステムに関し、特に、移動通信網を利用した移動体端末向けメールサービス及びＷｅｂメールサービスを利用可能な移動体端末装置、移動体端末向けメールサービス及びＷｅｂメールサービスを提供するサーバ装置、並びに、これらの移動体端末装置及びサーバ装置を有する移動通信ネットワークシステムに関する。
【背景技術】
【０００２】
従来、Ｗｅｂブラウザ機能を利用して電子メールを送受信するためのＷｅｂメールサービスが既知となっている。このＷｅｂメールサービスにおいては、通常のメールサービスと異なり、全てのメッセージをネットワーク上のサーバ装置で管理するため、利用者は、Ｗｅｂブラウザ機能を搭載する端末装置を用いてどこからでも新規メールの受信や、過去のメールの内容を確認することが可能である。
【０００３】
また、現在、携帯電話機等の移動体端末装置においては、Ｗｅｂブラウザ機能を搭載した機種が普及しつつあり、このような移動体端末装置を用いてＷｅｂメールサービスの提供を受けることが行われている。例えば、秘匿性が必要なメッセージを移動体端末装置内に残したくない場合に、このようなＷｅｂメールサービスが移動体端末装置において利用される。
【特許文献１】特開２００６−１４６３８８号公報
【発明の開示】
【発明が解決しようとする課題】
【０００４】
しかしながら、上述したＷｅｂメールサービスにおいては、Ｗｅｂブラウザ機能を用いて当該Ｗｅｂメールサービスを提供するサーバ装置にアクセスし、Ｗｅｂメールの作成に必要な画面（以下、適宜「Ｗｅｂメール作成処理画面」という）を表示した後、当該メール作成処理画面からメールを作成する必要がある。特に、メールを作成している途中で、処理を中断しなければならないような場合には、再び最初から処理を行わなければならず、メール作成に要する時間が長くなると共に、メール作成に要するコストが高くなるという問題がある。
【０００５】
なお、作成途中のメールをサーバ装置に保存しておき、当該作成途中のメールを読み出してメール作成処理を再開することも考えられるが、この場合においても、保存しておいた作成途中のメールを読み出すためにサーバ装置へアクセスする必要があるため、メール作成に要する時間面及びコスト面での問題を解決するには至っていない。
【０００６】
本発明は、このような実情に鑑みて為されたものであり、移動体端末装置においてＷｅｂメールを作成する途中で処理を中断した場合においても、メール作成に要する時間を短縮すると共に、メール作成に要するコストを低減することができる移動体端末装置、サーバ装置及び移動通信ネットワークシステムを提供することを目的とする。
【課題を解決するための手段】
【０００７】
本発明の移動体端末装置は、移動通信網を利用した移動体端末向けメールサービスを提供するメールサーバと通信を行う移動体端末向けメール処理部と、Ｗｅｂメールサービスを提供するＷｅｂサーバと通信を行うＷｅｂメール処理部と、前記移動体端末向けメールサービスにおけるメール作成が中断された場合に入力済みの情報を保存する記憶部と、を具備し、前記Ｗｅｂメールサービスにおけるメール作成が中断された場合に入力済みの情報を前記記憶部に保存する一方、前記記憶部に保存した情報の送信指示を受け付けると、前記移動体端末向けメール処理部から前記移動体端末向けメールサービスにおけるメールとして送信することを特徴とする。
【０００８】
本発明の移動体端末装置によれば、Ｗｅｂメールサービスにおけるメール（Ｗｅｂメール）の作成が中断されると、入力済みの情報が記憶部に保存され、その後、記憶部に保存された情報の送信指示を受け付けると、移動体端末向けメールサービスにおけるメールとして送信される。このため、Ｗｅｂメールの作成途中で処理が中断された場合においても、再び最初から処理を行う必要がないので、メール作成に要する時間を短縮すると共に、メール作成に要するコストを低減することが可能となる。
【０００９】
上記移動体端末装置においては、前記Ｗｅｂメールサービスにおけるメール作成が中断された場合に入力済みの情報を前記記憶部に保存する際、前記Ｗｅｂメールサービスにおけるメールの作成途中で保存された情報であることを示す識別情報を付加することが好ましい。この場合には、移動体端末装置からのメールを受信するメールサーバで上記識別情報を判定することにより、Ｗｅｂメールの作成途中で保存されたメールであるか否かを容易且つ確実に判定することが可能となる。
【００１０】
本発明のサーバ装置は、移動通信網を利用した移動体端末向けメールサービスを提供するメールサーバ部と、Ｗｅｂメールサービスを提供するＷｅｂメールサーバ部と、移動体端末装置に割り当てられた、前記移動体端末向けメールサービス用及び前記Ｗｅｂメールサービス用のメールアドレスを管理するユーザデータ管理部と、を具備し、前記移動体端末装置から前記移動体端末向けメールサービスにおけるメールを受信すると、当該メールが、前記Ｗｅｂメールサービスにおけるメール作成途中で保存されたメールであるか否かに応じて送信元のメールアドレスを設定して転送することを特徴とする。
【００１１】
本発明のサーバ装置によれば、移動体端末向けメールサービスにおけるメールが、Ｗｅｂメールの作成途中で保存されたメールであるか否かに応じて送信元のメールアドレスを設定することができる。これにより、例えば、移動体端末装置でＷｅｂメールの作成途中で保存された情報を、移動体端末向けメールサービスにおけるメールとして受信した場合においても、Ｗｅｂメールサービス用のメールアドレスからのメールとして転送することが可能となる。このため、Ｗｅｂメール作成が中断された場合に入力済みの情報を移動体端末装置内に保存する構成としても、この情報に応じたメールをＷｅｂメールサービス用のメールアドレスから送信することが可能となる。この結果、移動体端末装置においてＷｅｂメールを作成する途中で処理を中断した場合においても、当該Ｗｅｂメールの作成時に入力した情報を送信先に送信することができ、メール作成に要する時間を短縮すると共に、メール作成に要するコストを低減することが可能となる。
【００１２】
上記サーバ装置において、前記移動体端末装置から受信した前記移動体端末向けメールサービスにおけるメールが、前記Ｗｅｂメールサービスにおけるメールの作成途中で保存されたメールである場合に送信元のメールアドレスを前記Ｗｅｂメールサービス用のメールアドレスに置換することが好ましい。この場合には、移動体端末装置においてＷｅｂメール作成途中で保存された情報を、移動体端末向けメールサービスにおけるメールとして受信した場合においても、Ｗｅｂメールサービス用のメールアドレスからのメールとして確実に転送することが可能となる。
【００１３】
上記サーバ装置において、前記移動体端末装置から受信した前記移動体端末向けメールサービスにおけるメールに付加される識別情報に応じて、当該メールがＷｅｂメールサービスにおけるメール作成途中で保存されたメールであるか判定することが好ましい。この場合には、移動体端末装置からのメールに付加された識別情報に応じて、当該メールがＷｅｂメールの作成途中で保存されたメールであるかを確実且つ容易に判定することが可能となる。
【００１４】
本発明の移動通信ネットワークシステムは、移動通信網を利用した移動体端末向けメールサービス及びＷｅｂメールサービスを利用可能な移動体端末装置と、前記移動体端末装置に割り当てられた前記移動体端末向けメールサービス及びＷｅｂメールサービス用のメールアドレスを管理するサーバ装置とを具備する移動通信ネットワークシステムであって、前記移動体端末装置で前記Ｗｅｂメールサービスにおけるメール作成が中断された場合に入力済みの情報を当該移動体端末装置内に保存する一方、当該保存した情報を前記移動体端末向けメールサービスにおけるメールとして送信し、前記サーバ装置で当該メールを受信すると、送信元のメールアドレスを前記Ｗｅｂメールサービス用のメールアドレスに置換して転送することを特徴とする。
【００１５】
本発明の移動通信ネットワークシステムによれば、移動体端末装置において、Ｗｅｂメールの作成が中断されると、入力済みの情報が移動体端末装置内に保存され、この保存された情報が移動体端末向けメールサービスにおけるメールとして送信される。一方、サーバ装置において、移動体端末装置から上記メールを受信すると、送信元のメールアドレスをＷｅｂメールサービス用のメールアドレスに置換して転送される。このため、Ｗｅｂメールの作成途中で処理が中断された場合においても、再び最初から処理を行う必要がなく、また、サーバ装置を介してＷｅｂメールサービス用のメールアドレスから転送されるので、メール作成に要する時間を短縮すると共に、メール作成に要するコストを低減することが可能となる。
【発明の効果】
【００１６】
本発明に係る移動体端末装置、サーバ装置及び移動通信ネットワークシステムによれば、移動体端末装置からＷｅｂメールを作成する途中で処理を中断した場合においても、再び最初から処理を行う必要がなく、メール作成に要する時間を短縮すると共に、メール作成に要するコストを低減することが可能となる。
【発明を実施するための最良の形態】
【００１７】
以下、本発明の実施の形態について添付図面を参照して詳細に説明する。
図１は、本発明の一実施の形態に係る移動通信ネットワークシステム（以下、単に「通信システム」という）の概略構成を示す図である。図１に示すように、本実施の形態に係る通信システムは、移動体端末装置としての携帯電話機１０と、ＩＭＴ（International
Mobile Telecommunication）網等で構成される移動通信網を介して接続されるサーバ装置（以下、単に「サーバ」という）２０とを含んで構成される。
【００１８】
本実施の形態に係る通信システムにおいて、携帯電話機１０は、移動通信網を利用した携帯電話向けメールサービス及びＷｅｂメールサービスを利用可能に構成されている。以下においては、携帯電話向けメールサービスとして、ｉモード（登録商標）メールサービスを具体例に挙げて説明する。携帯電話機１０においては、ｉモードメールサービスを提供するメールサーバ（後述）と通信を行うｉモードメール処理部１１と、Ｗｅｂメールサービスの提供を行うＷｅｂメールサーバ（後述）と通信を行うＷｅｂメール処理部１２とを有している。
【００１９】
一方、サーバ２０は、携帯電話機１０に対してｉモードメールサービスを提供するメールサーバ部（以下、単に「メールサーバ」という）２１と、携帯電話機１０に対してＷｅｂメールサービスを提供するＷｅｂサーバ部（以下、単に「Ｗｅｂサーバ」という）２２とを有している。また、携帯電話機１０において、ｉモードメールを送受信するために予め割り当てられたｉモードメールアドレス、並びに、Ｗｅｂメールを送受信するために予め割り当てられたＷｅｂメールアドレスを含むユーザデータを管理するユーザデータ管理部２３を有している。
【００２０】
ここで、ユーザデータ管理部２３で管理されるユーザデータの内容について図２を用いて説明する。図２は、本実施の形態に係るサーバ２０のユーザデータ管理部２３で管理されるユーザデータの一例について示す図である。なお、図２においては、携帯電話機１０だけでなく、サーバ２０が管理する複数の携帯電話機に対応するユーザデータを示している。
【００２１】
図２に示すように、ユーザデータ管理部２３においては、各携帯電話機に対応してグループ番号（No.）及び電話番号が登録されている。また、各携帯電話機に割り当てられているメールアドレスがメール種別毎に登録されている（ｉモードアドレス及びＷｅｂメールアドレス）。例えば、「グループNo.１」の携帯電話機においては、電話番号「０９０−ＡＡＡＡ−００００」が登録されると共に、ｉモードメールアドレス及びＷｅｂメールアドレスとして、それぞれ「ａｂｃ＠ｄｏｃｏｍｏ．ｎｅ.ｊｐ」及び「ａｂｃ＠ｄｏｃｏｍｏｗｅｂ．ｎｅ.ｊｐ」が登録されている。
【００２２】
本実施の形態に係る通信システムにおいては、携帯電話機１０でＷｅｂメールを作成中に処理が中断されると、その作成途中のＷｅｂメールに応じた情報を携帯電話機１０に保存しておく。そして、処理を中断したメールの作成を再び行う場合には、保存した情報を読み出して編集等の処理を行った後、ｉモードメールとしてサーバ２０に送信する。サーバ２０においては、受信したｉモードメールに付加される識別情報（後述するＷｅｂメールフラグ）の内容に応じて、送信元のメールアドレスを設定して当該メールを転送する。
【００２３】
このように、本実施の形態に係る携帯電話機１０は、ｉモードメール又はｗｅｂメールの作成に伴う操作入力や画面表示、ｉモードメール又はｗｅｂメールの送受信、並びに、作成途中のＷｅｂメールに応じた情報の保存等を行う構成を有する。ここで、本実施の形態に係る携帯電話機１０の構成について図３を用いて説明する。
【００２４】
図３は、本実施の形態に係る携帯電話機１０の構成を示すブロック図である。なお、図３に示す携帯電話機１０の構成は、本発明を説明するために簡略化したものであり、携帯電話機１０は、通常の携帯電話機に必要な処理機能を備えるものとする。また、図３に示す携帯電話機１０において、図１に示す同一の構成（ｉモードメール処理部１１及びＷｅｂメール処理部１２）については、同一の符号を付すものとする。
【００２５】
図３に示す携帯電話機１０において、制御部１３は、携帯電話機１０全体の制御を行うものであり、上記ｉモードメール処理部１１及びＷｅｂメール処理部１２、並びに、後述する各構成要素の制御を行う。操作部１４は、ユーザから入力される携帯電話機１０に対する指示や文字情報を受け付ける。例えば、操作部１４は、ｉモードメールやＷｅｂメールの送信指示や、メール本文を構成する文字情報の入力を受け付ける。表示部１５は、携帯電話機１０の状態に応じた情報を表示する。例えば、表示部１５は、後述するＷｅｂメール作成画面等を表示する。
【００２６】
メインメモリ１６及びサブメモリ１７は、携帯電話機１０における各種処理を実行する際に必要となる情報を記憶する。特に、メインメモリ１６は、メール作成の途中で処理が中断された場合の作成途中のメールに応じた情報を保存する。サブメモリ１７は、メール作成時にユーザから入力される文字情報や、Ｗｅｂメールの作成に必要な画面（Ｗｅｂメール作成処理画面）を表示部１５に表示するための情報を一時的に保存する。例えば、Ｗｅｂメール作成処理画面を表示するための情報として、リソースデータや入力された文字情報等が一時的に保存される。入力情報抽出部１８は、サブメモリ１７に保存される、Ｗｅｂメール作成処理画面を表示するための情報から、ユーザにより入力された文字情報を抽出する。
【００２７】
次に、上記構成を有する通信システムにおいて、ｉモードメール又はＷｅｂメールを送信（転送）する場合の動作について、携帯電話機１０における送信動作と、サーバ２０における転送動作とに分けて説明する。まず、携帯電話機１０において、ｉモードメール及びＷｅｂメールを送信する場合の動作について説明する。
【００２８】
図４は、本実施の形態に係る携帯電話機１０において、ｉモードメールを送信する場合の動作について説明するためのフロー図である。図４に示すように、携帯電話機１０においては、常時、操作部１４を介してｉモードメールの作成指示を受け付けるか監視している（ＳＴ４０１）。かかる監視動作は、ユーザからｉモードメールの作成指示を受け付けるまで継続される。
【００２９】
ユーザからｉモードメールの作成指示を受け付けた場合には、サブメモリ１７にｉモードメール用のメモリ領域を作成する（ＳＴ４０２）。このとき、サブメモリ１７には、図５に示すようなｉモードメール用のメモリ領域が作成される。ｉモードメール用のメモリ領域には、図５に示すように、「Ｓｕｂｊｅｃｔ（件名）」及び「ｈｏｎｂｕｎ（本文）」の内容が記録できるように構成されている。
【００３０】
ｉモードメール用のメモリ領域を作成した後、操作部１４を介して文字情報の入力を受け付けるか判定する（ＳＴ４０３）。ここで、文字情報の入力を受け付けた場合には、その入力された文字情報（以下、適宜「入力情報」という）を、ｉモードメール用のメモリ領域に書き込む（ＳＴ４０４）。例えば、ｉモードメール用のメモリ領域には、図６に示すように入力情報が書き込まれる。なお、図６においては、「Ｓｕｂｊｅｃｔ」のみに入力情報が書き込まれた場合について示している。
【００３１】
入力情報をｉモードメール用のメモリ領域に書き込んだならば、操作部１４を介してメールを送信する指示（メール送信指示）を受け付けるか判定する（ＳＴ４０５）。ここで、メール送信指示を受け付けた場合には、ｉモードメール用のメモリ領域に書き込まれた入力情報を、ｉモードメール処理部１１を介してサーバ２０に送信する（ＳＴ４０６）。そして、サーバ２０に対する送信動作を完了したならば、ｉモードメールを送信する動作を終了する。
【００３２】
一方、メール送信指示を受け付けない場合には、操作部１４を介してメール作成を中断する指示（メール作成中断指示）を受け付けるか判定する（ＳＴ４０７）。なお、メール作成中断指示を受け付けない場合には、処理をＳＴ４０５に戻し、再びメール送信指示を受け付けるか判定する。なお、メール送信指示もメール作成中断指示も受け付けない状態で所定時間が経過した場合に、指示の入力を促すメッセージや、エラーである旨を示すメッセージを表示部１５に表示することは実施の形態として好ましい。
【００３３】
メール作成中断指示を受け付けた場合には、ｉモードメール用のメモリ領域に書き込まれた入力情報を、メインメモリ１６における作成途中のメールを保存する領域（以下、「作成途中メール保存領域」という）に保存する（ＳＴ４０８）。この場合において、入力情報は、作成日付を付与すると共に、Ｗｅｂメールフラグを付与した状態で保存される。
【００３４】
ここで、Ｗｅｂメールフラグとは、Ｗｅｂメールを作成する途中において作成途中メール保存領域に保存されたメールであるか否かを識別するためのフラグである。ｉモードメールを作成する途中において作成途中メール保存領域に保存された場合にはＷｅｂメールフラグとして「０」が設定され、Ｗｅｂメールを作成する途中において作成途中メール保存領域に保存された場合にはＷｅｂメールフラグとして「１」が設定される。例えば、作成途中メール保存領域には、図７に示すように、入力情報が項目毎に保存される。図７においては、図６に示す入力情報が、作成途中メール保存領域に追加して保存された場合について示している。
【００３５】
作成途中メール保存領域に入力情報を保存した後、操作部１４を介して保存情報を呼び出す指示（保存情報呼出し指示）を受け付けるか判定する（ＳＴ４０９）。ここで、保存情報呼出し指示を受け付けた場合には、作成途中メール保存領域に保存された保存情報に応じて保存メール一覧画面を表示する（ＳＴ４１０）。このとき、表示部１５には、例えば、図８に示すような保存メール一覧画面が表示される。
【００３６】
保存メール一覧画面には、図８に示すように、保存メールの一覧が表示される保存メール表示欄８０１と、保存メールの編集を指示する編集ボタン８０２とが形成されている。保存メール表示欄８０１には、作成途中メール保存領域に保存された保存情報に応じて作成日付、件名、メール種別（例えば、ｉモードメール又はＷｅｂメール）が表示される。なお、図８に示す保存メール一覧画面においては、図７に示す保存情報に応じた保存メール一覧画面の内容を示している。
【００３７】
保存メール一覧画面を表示した後、操作部１４を介して編集指示を受け付けるか判定する（ＳＴ４１１）。具体的には、保存メール一覧画面におけるいずれかの保存情報を指定の上、編集ボタン８０２が選択されるか否かにより、編集指示を受け付けるか判定する。ここで、編集指示を受け付けた場合には、対象となる保存情報を、サブメモリ１７内のｉモードメール用のメモリ領域に書き込む（ＳＴ４１２）。このとき、ｉモードメール用のメモリ領域には、Ｗｅｂメールフラグの内容も書き込まれる。そして、保存情報をｉモードメール用のメモリ領域に書き込んだ後は、処理をＳＴ４０３に戻し、再び、ＳＴ４０３以降の処理を繰り返す。なお、この場合において、ＳＴ４０６でメール送信を行う場合には、Ｗｅｂメールフラグも同様に通信部１４を介してサーバ２０に送信される。
【００３８】
なお、図４に示すフロー図においては、ＳＴ４１１において、編集指示を受け付けない場合には、この判定処理を繰り返す場合について説明しているが、これに限定されるものではなく、適宜変更が可能である。例えば、作成途中メール保存領域に保存された保存メールの送信指示を受け付け、文字情報を受け付けることなく、当該保存メールを送信するようにすることも可能である。
【００３９】
図９及び図１０は、本実施の形態に係る携帯電話機１０において、Ｗｅｂメールを送信する場合の動作について説明するためのフロー図である。図９に示すように、携帯電話機１０においては、常時、操作部１４を介してＷｅｂメールの作成指示を受け付けるか監視している（ＳＴ９０１）。ここで、Ｗｅｂメールの作成指示は、Ｗｅｂサーバ２２へのアクセス指示、並びに、Ｗｅｂメールメニュー画面の表示指示を含むものとする。かかる監視動作は、ユーザからＷｅｂメールの作成指示を受け付けるまで継続される。
【００４０】
ユーザからＷｅｂメールの作成指示を受け付けた場合には、Ｗｅｂメール処理部１２を介してＷｅｂサーバ２２にアクセスする（ＳＴ９０２）。そして、Ｗｅｂサーバ２２からＷｅｂメールメニュー画面を表示するためのリソースデータを受信し、表示部１５に、Ｗｅｂメールメニュー画面（不図示）を表示する。このＷｅｂメールメニュー画面には、例えば、過去に受信した受信メールを確認できる受信リストへの移行ボタン、送信先を指定する送信先指定欄への移行ボタン、並びに、Ｗｅｂメールを作成するＷｅｂメール作成画面への移行ボタンなどが表示される。このＷｅｂメールメニュー画面からＷｅｂメール作成画面への移行ボタンが選択されると、表示部１５に、Ｗｅｂメール作成画面を表示する（ＳＴ９０３）。このとき、表示部１５には、図１１に示すようなＷｅｂメール作成画面が表示される。
【００４１】
図１１に示すように、Ｗｅｂメール作成画面においては、Ｗｅｂメールの件名が入力されるサブジェクト欄１１０１と、メール本文データが入力される本文欄１１０２と、Ｗｅｂメールの送信を指示する送信ボタン１１０３と、作成途中におけるＷｅｂメールの保存を指示する保存ボタン１１０４とが形成されている。なお、図１１に示すＷｅｂメール作成画面を表示する際には、例えば、図１２に示すような内容を含むリソースデータをＷｅｂサーバ２２からＷｅｂメール処理部１２を介して受信する。
【００４２】
Ｗｅｂメール作成画面を表示した後、サブメモリ１７にＷｅｂメール用のメモリ領域を作成する（ＳＴ９０４）。このとき、サブメモリ１７には、図１３に示すようなＷｅｂメール用のメモリ領域が作成される。図１３に示すように、Ｗｅｂメール用のメモリ領域には、「Ｓｕｂｊｅｃｔ（件名）」及び「ｈｏｎｂｕｎ（本文）」の内容が記録できるように構成されている。
【００４３】
Ｗｅｂメール用のメモリ領域を作成した後、操作部１４を介して文字情報の入力を受け付けるか判定する（ＳＴ９０５）。ここで、文字情報の入力を受け付けた場合には、その入力情報を、Ｗｅｂメール用のメモリ領域に反映させる（ＳＴ９０６）。例えば、Ｗｅｂメール用のメモリ領域には、図１４に示すように入力情報が反映される。図１４に示す入力情報がＷｅｂメール用のメモリ領域に反映された場合、Ｗｅｂメール作成画面には、図１５に示すような入力情報が表示される。
【００４４】
入力情報をＷｅｂメール用のメモリ領域に反映させたならば、操作部１４を介してメールを送信する指示（メール送信指示）を受け付けるか判定する（ＳＴ９０７）。ここで、メール送信指示を受け付けた場合には、Ｗｅｂメール用のメモリ領域に反映させた入力情報を、Ｗｅｂメール処理部１２を介してサーバ２０に送信する（ＳＴ９０８）。そして、サーバ２０に対する送信動作を完了したならば、Ｗｅｂメールを送信する動作を終了する。
【００４５】
一方、メール送信指示を受け付けない場合には、操作部１４を介してメール作成を中断する指示（メール作成中断指示）を受け付けるか判定する（ＳＴ９０９）。具体的には、Ｗｅｂメール作成画面における保存ボタン１１０４が選択されるか否かにより、メール作成中断指示を受け付けるか判定する。メール作成中断指示を受け付けない場合には、処理をＳＴ９０７に戻し、再びメール送信指示を受け付けるか判定する。なお、メール送信指示もメール作成中断指示も受け付けない状態で所定時間が経過した場合に、指示の入力を促すメッセージや、エラーである旨を示すメッセージを表示部１５に表示することは実施の形態として好ましい。
【００４６】
メール作成中断指示を受け付けた場合には、Ｗｅｂメール用のメモリ領域から入力情報を抽出する（ＳＴ９１０）。そして、抽出した入力情報を、メインメモリ１６における作成途中メール保存領域に保存する（ＳＴ９１１）。例えば、作成途中メール保存領域には、図１６に示すように、抽出した入力情報が保存される。この場合において、入力情報は、ｉモードメールにおける保存動作と同様に、作成日付を付与すると共に、Ｗｅｂメールフラグを付与した状態で保存される。図１６においては、図１４に示す入力情報が、作成途中メール保存領域に追加して保存された場合について示している。
【００４７】
作成途中メール保存領域に入力情報を保存した後、図１０に示すように、操作部１４を介して保存情報を呼び出す指示（保存情報呼出し指示）を受け付けるか判定する（ＳＴ１００１）。ここで、保存情報呼出し指示を受け付けた場合には、作成途中メール保存領域に保存された保存情報に応じて保存メール一覧画面を表示する（ＳＴ１００２）。このとき、表示部１５には、例えば、図１７に示すような保存メール一覧画面が表示される。なお、図１７に示す保存メール一覧画面においては、図１６に示す保存情報に応じた保存メール一覧画面の内容を示している。
【００４８】
保存メール一覧画面を表示した後、操作部１４を介して編集指示を受け付けるか判定する（ＳＴ１００３）。具体的には、保存メール一覧画面におけるいずれかの保存情報を指定の上、編集ボタン８０２が選択されるか否かにより、編集指示を受け付けるか判定する。ここで、編集指示を受け付けた場合には、サブメモリ１７にｉモードメール用のメモリ領域を作成し、対象となる保存情報を書き込む（ＳＴ１００４）。このとき、ｉモードメール用のメモリ領域には、図１８に示すように入力情報が書き込まれる。図１８においては、図１７に示す「２００６．１０．１２」に対応する保存情報が指定された場合について示している。図１８に示すように、Ｗｅｂメールの作成途中で保存された保存情報が指定された場合には、ｉモードメール用のメモリ領域には、Ｗｅｂメールフラグの内容が書き込まれる。
【００４９】
指定された保存情報をｉモードメール用のメモリ領域に書き込んだならば、操作部１４を介して文字情報の入力を受け付けるか判定する（ＳＴ１００５）。ここで、文字情報の入力を受け付けた場合には、その入力情報をｉモードメール用のメモリ領域に書き込む（ＳＴ１００６）。例えば、図１８に示す保存情報が書き込まれている場合、ｉモードメール用のメモリ領域には、図１９に示すように入力情報が追加して書き込まれる。
【００５０】
入力情報をｉモードメール用のメモリ領域に書き込んだならば、操作部１４を介してメールを送信する指示（メール送信指示）を受け付けるか判定する（ＳＴ１００７）。ここで、メール送信指示を受け付けた場合には、ｉモードメール用のメモリ領域に書き込まれた入力情報（保存情報を含む）を、ｉモードメール処理部１１を介してサーバ２０に送信する（ＳＴ１００８）。このとき、Ｗｅｂメールフラグも同様にｉモードメール処理部１１を介してサーバ２０に送信される。そして、サーバ２０に対する送信動作を完了したならば、この送信動作を終了する。
【００５１】
一方、メール送信指示を受け付けない場合には、メール送信指示を受け付けるまでこの判定処理を繰り返す。なお、メール送信指示を受け付けない状態で所定時間が経過した場合に、指示の入力を促すメッセージや、エラーである旨を示すメッセージを表示部１５に表示することは実施の形態として好ましい。
【００５２】
なお、図１０に示すフロー図においては、ＳＴ１００３において、編集指示を受け付けない場合には、この判定処理を繰り返す場合について説明しているが、これに限定されるものではなく、適宜変更が可能である。例えば、作成途中メール保存領域に保存された保存メールの送信指示を受け付け、文字情報を受け付けることなく、当該保存メールを送信するようにすることも可能である。
【００５３】
次に、サーバ２０において、ｉモードメール又はＷｅｂメールを転送する場合の動作について説明する。図２０は、本実施の形態に係るサーバ２０において、ｉモードメール又はＷｅｂメールを転送する場合の動作について説明するためのフロー図である。
【００５４】
図２０に示すように、サーバ２０においては、常時、Ｗｅｂサーバ２２により携帯電話機１０からＷｅｂメールを受信するか監視している（ＳＴ２００１）。そして、Ｗｅｂメールの監視する一方、サーバ２０においては、メールサーバ２１により携帯電話機１０からｉモードメールを受信するか監視している（ＳＴ２００２）。Ｗｅｂメール又はｉモードメールのいずれかを検出した場合には、それぞれ異なる処理に移行する。以下、ｉモードメールを検出した場合、Ｗｅｂメールを検出した場合について分けて説明する。
【００５５】
携帯電話機１０からｉモードメールを受信した場合には、ｉモードメールに付加されているＷｅｂメールフラグの内容を判定する（ＳＴ２００３）。ここで、Ｗｅｂメールフラグの内容を判定するのは、受信したｉモードメールが、メール作成の途中で処理が中断されたＷｅｂメールであるかを判定するためである。すなわち、メール作成の途中で処理が中断されたＷｅｂメールは、携帯電話機１０においてｉモードメールとして保存される。このように形態を変換して保存されたＷｅｂメールを判定するためにＷｅｂメールフラグの内容を判定するものである。
【００５６】
Ｗｅｂメールフラグが「１」である場合には、受信したｉモードメールが、メール作成の途中で処理を中断されたＷｅｂメールである場合である。このため、ユーザデータ管理部２３で管理される携帯電話機１０のＷｅｂメールアドレスを取得し（ＳＴ２００４）、このＷｅｂメールアドレスを送信元アドレスに設定する（ＳＴ２００５）。続いて、送信先に設定されたメールアドレスにメールを転送する（ＳＴ２００６）。そして、送信先に対する転送動作が完了したならば、当該メールを転送する動作を終了する。
【００５７】
一方、Ｗｅｂメールフラグが「０」である場合、或いは、Ｗｅｂメールフラグが付与されていない場合には、受信したｉモードメールが、メール作成の途中で処理が中断されたｉモードメール、或いは、通常処理により作成されたｉモードメールである場合である。このため、ユーザデータ管理部２３で管理される携帯電話機１０のｉモードメールアドレスを取得し（ＳＴ２００７）、このｉモードメールアドレスを送信元アドレスに設定する（ＳＴ２００５）。続いて、送信先に設定されたメールアドレスにメールを転送する（ＳＴ２００６）。そして、送信先に対する転送動作が完了したならば、当該メールを転送する動作を終了する。
【００５８】
一方、ＳＴ２００１において、携帯電話機１０からＷｅｂメールを受信した場合には、ユーザデータ管理部２３で管理される携帯電話機１０のＷｅｂメールアドレスを取得し（ＳＴ２００４）、このＷｅｂメールアドレスを送信元アドレスに設定する（ＳＴ２００５）。携帯電話機１０からＷｅｂメールを受信する場合には、通常処理により作成されたＷｅｂメールである場合に限定されるため、直接、ＳＴ２００４以降の処理に移行する。そして、送信先に設定されたメールアドレスにメールを転送する（ＳＴ２００６）。そして、送信先に対する転送動作が完了したならば、当該メールを転送する動作を終了する。
【００５９】
このように本実施の形態に係る移動通信ネットワークシステムによれば、携帯電話機１０において、Ｗｅｂメールの作成途中で処理中断されると、入力済みの情報が携帯電話機１０内に保存され、この保存された情報がｉモードメールとして送信される。一方、サーバ２０においては、このようなｉモードメールを携帯電話機１０から受信すると、送信元のメールアドレスをＷｅｂメールアドレスに置換して転送する。このため、Ｗｅｂメールの作成途中で処理が中断された場合においても、再び最初から処理を行う必要がなく、また、サーバ２０を介してＷｅｂメールアドレスから転送されるので、メール作成に要する時間を短縮すると共に、メール作成に要するコストを低減することが可能となる。
【００６０】
なお、本発明は、上記実施の形態に限定されず、本発明の効果を発揮する範囲内において種々変更して実施することが可能である。また、本発明の目的の範囲を逸脱しない限りにおいて適宜変更して実施することが可能である。
【図面の簡単な説明】
【００６１】
【図１】本発明の一実施の形態に係る通信システムの概略構成を示す図である。
【図２】上記実施の形態に係る携帯電話機の構成を示すブロック図である。
【図３】上記実施の形態に係るサーバのユーザデータ管理部で管理されるユーザデータの一例について示す図である。
【図４】上記実施の形態に係る携帯電話機におけるｉモードメールを送信する場合の動作について説明するためのフロー図である。
【図５】上記実施の形態に係る携帯電話機のサブメモリに作成されるｉモードメール用のメモリ領域を示す図である。
【図６】上記実施の形態に係る携帯電話機のサブメモリに作成されるｉモードメール用のメモリ領域を示す図である。
【図７】上記実施の形態に係る携帯電話機のメインメモリ内の作成途中メール保存領域に保存される保存情報を示す図である。
【図８】上記実施の形態に係る携帯電話機の表示部に表示される保存メール一覧画面の一例を示す図である。
【図９】上記実施の形態に係る携帯電話機におけるＷｅｂメールを送信する場合の動作について説明するためのフロー図である。
【図１０】上記実施の形態に係る携帯電話機におけるＷｅｂメールを送信する場合の動作について説明するためのフロー図である。
【図１１】上記実施の形態に係る携帯電話機の表示部に表示されるＷｅｂメールメニュー画面の一例を示す図である。
【図１２】図１１に示すＷｅｂメールメニュー画面を表示するためのリソースデータの一例を示す図である。
【図１３】上記実施の形態に係る携帯電話機のサブメモリに作成されるＷｅｂメール用のメモリ領域を示す図である。
【図１４】上記実施の形態に係る携帯電話機のサブメモリに作成されるＷｅｂメール用のメモリ領域を示す図である。
【図１５】上記実施の形態に係る携帯電話機の表示部に表示されるＷｅｂメールメニュー画面の一例を示す図である。
【図１６】上記実施の形態に係る携帯電話機のメインメモリ内の作成途中メール保存領域に保存される保存情報を示す図である。
【図１７】上記実施の形態に係る携帯電話機の表示部に表示される保存メール一覧画面の一例を示す図である。
【図１８】上記実施の形態に係る携帯電話機のサブメモリに作成されるｉモードメール用のメモリ領域を示す図である。
【図１９】上記実施の形態に係る携帯電話機のサブメモリに作成されるｉモードメール用のメモリ領域を示す図である。
【図２０】上記実施の形態に係るサーバにおけるｉモードメール又はＷｅｂメールを転送する場合の動作について説明するためのフロー図である。
【符号の説明】
【００６２】
１０  携帯電話機（移動体端末装置）
１１  ｉモードメール処理部
１２  Ｗｅｂメール処理部
１３  制御部
１４  操作部
１５  表示部
１６  メインメモリ
１７  サブメモリ
１８  入力情報抽出部
２０  サーバ装置
２１  メールサーバ部（メールサーバ）
２２  Ｗｅｂサーバ部（Ｗｅｂサーバ）
２３  ユーザデータ管理部
【図１】
2008171339.tif 000003
【図２】
2008171339.tif 000004
【図３】
2008171339.tif 000005
【図４】
2008171339.tif 000006
【図５】
2008171339.tif 000007
【図６】
2008171339.tif 000008
【図７】
2008171339.tif 000009
【図８】
2008171339.tif 000010
【図９】
2008171339.tif 000011
【図１０】
2008171339.tif 000012
【図１１】
2008171339.tif 000013
【図１２】
2008171339.tif 000014
【図１３】
2008171339.tif 000015
【図１４】
2008171339.tif 000016
【図１５】
2008171339.tif 000017
【図１６】
2008171339.tif 000018
【図１７】
2008171339.tif 000019
【図１８】
2008171339.tif 000020
【図１９】
2008171339.tif 000021
【図２０】
2008171339.tif 000022